(57)【要約】      （修正有）【課題】タップ切替装置の接触シーケンスを測定するための測定ポイントへのアクセスが容易なタップ切替装置を提供する。【解決手段】タップ切替装置４は、シリンダ１及びシリンダ内に回転可能に配置されたシャフト２を備え、シリンダ１には固定接点が設けられており、シャフト２にはシリンダ１に向かって延び且つ機械的接点を含む接点回路が設けられており、機械的接点は、シャフト２の回転時にシリンダ１の固定接点と選択的に嵌合するように構成されており、接点回路はまた、接点回路の機能を測定するための少なくとも二つの測定ポイントを含む。タップ切替装置４は、接点回路の各測定ポイントに電気接続された少なくとも一つの測定用接触器１４０−１４２を備え、この接触器１４０−１４２はシャフト２内に配置されている。これによりタップ切替装置４の測定ポイントへのアクセスが容易となる。【選択図】図１
2010267957.tif 000002
【特許請求の範囲】
【請求項１】
シリンダ（１）及びシリンダ（１）内に回転可能に配置されたシャフト（２）を備えた変圧器のタップ切替装置（４）であって、シリンダ（１）には固定接点（３）が設けられており、シャフトにはシリンダに向かって延び且つ機械的接点（３２、３５）を含む接点回路が設けられており、機械的接点（３２、３５）はシャフト（２）の回転時にシリンダ（１）の固定接点（３）と選択的に嵌合するように構成されており、さらに接点回路（３１）は接点回路（３１）の機能を測定するための少なくとも二つの測定ポイント（Ａ−Ｃ）を含んでいるもので、当該切替装置が、接点回路の各接触ポイント（Ａ、Ｂ、Ｃ）に電気接続された少なくとも一つの測定用接触器（１４０−１４２）を備えており、この接触器（１４０−１４２）がシャフト（２）内に配置されていることを特徴とするタップ切替装置（４）。
【請求項２】
測定用接触器（１４０−１４２）が少なくとも二つの別個の接触面（１４０Ａ−Ｃ）を含み、接点回路（３１）が二つの測定ポイント（Ａ−Ｃ）を含み、各接触面（１４０Ａ−Ｃ）が測定ポイント（Ａ−Ｃ）のそれぞれ一つに接続される、請求項１に記載のタップ切替装置（４）。
【請求項３】
三つの測定用接触器（１４０−１４２）及び三つの接点回路（３１、１０３−１０５）を備えており、各測定用接触器（１４０−１４２）がシャフト（２）内に配置されており且つ三つの接点回路（３１、１０３−１０５）のそれぞれ一つに接続されている、請求項１に記載のタップ切替装置（４）。
【請求項４】
各測定用接触器（１４０−１４２）が三つの別個の接触面（１４０Ａ−Ｃ）を有しており、接点回路（３１）が三つの測定ポイント（Ａ−Ｃ）を有しており、各接触面（１４０Ａ−Ｃ）が測定ポイント（Ａ−Ｃ）のそれぞれ一つに接続されている、請求項３に記載のタップ切替装置（４）。
【請求項５】
各々が各測定ポイント（Ａ−Ｃ）と接触面（１４０Ａ−Ｃ）との間に配置されて、シャフト（２）の外側からシャフト（２）内の接触面（１４０Ａ−Ｃ）のそれぞれ一つに延びる複数の導体（１０６−１０８Ａ−Ｃ）を含んでいる、請求項２ないし４のいずれか一項に記載のタップ切替装置（４）。
【請求項６】
カバー（１９）と、カバー（１９）内に配置されたシール可能な開口（９）とを有し、シール可能な開口（９）がシャフト（２）内へのアクセスを提供するために配置されている、請求項１ないし５のいずれか一項に記載のタップ切替装置（４）。
【請求項７】
接点回路（３１）が二つの分岐を備え、第一の分岐が第一の機械的接点（３２）、第一の真空遮断器（３３）及び保護抵抗（３４）を備え、第二の分岐が第二の機械的接点（３５）及び第二の真空遮断器（３６）を備えている、請求項１ないし６のいずれか一項に記載のタップ切替装置（４）。
【請求項８】
二つの巻線を備えた変圧器（１８）であって、そのうち一つは調整巻線であり、及び調整巻線のタップレベルを選択するために配置されたタップ切替装置であって、タップ切替装置が、請求項１ないし７のいずれか一項により提供される、変圧器（１８）。
【請求項９】
請求項１ないし７のいずれか一項に記載のタップ切替装置（４）の接触シーケンスを測定するための測定機器（５０）であって、タップ切替装置のシャフト（２）内に配置されている少なくとも一つの接触器（１４０−１４２）に接続するように構成された測定用接触子（５２ａ−ｃ）が設けられた測定用プローブ（５１）を備えた、測定機器（５０）。
【請求項１０】
変圧器（１８）のタップ切替装置（４）の接触シーケンスの測定方法であって、タップ切替装置（４）が変圧器（１８）内に配置されて、シリンダ（１）及びシリンダ（１）内に回転可能に配置されたシャフト（２）を備えており、シリンダ（１）には固定接点（３）が設けられており、シャフト（２）には、シリンダ（１）に向かって延び且つシャフト（２）の回転時にシリンダの固定接点（３）と選択的に嵌合するように構成された機械的接点（３２、３５）を含む接点回路（３１）が設けられており、測定接触器（１４０−１４２）がシャフト（２）内に配置されて、接点回路（３１）の測定ポイント（Ａ−Ｃ）に電気接続されているもので、当該方法は、接点回路（３１）の接点（３２、３３、３５、３６）を開閉して、接点の開閉中に測定機器（５０）を用いて電気的変動を測定する工程（７６）を含み、測定用接触子（５２ａ−ｃ）が設けられた測定用プローブ（５１）をタップ切替装置のシャフト（２）に挿入することを特徴とする、測定方法。
【請求項１１】
測定用プローブを挿入する工程を、変圧器（１８）内にあるタップ切替装置を用いて行う、請求項１０に記載の測定方法。
【請求項１２】
測定用接触子（５２ａ−ｃ）を接触器（１４０−１４２）に接続する工程を含み、当該接続する工程は測定用プローブ（５１）をシャフト（２）へ挿入する工程の後で行う、請求項１０又は１１に記載の測定方法。
【請求項１３】
測定用プローブ（５１）を変圧器から取り外すことを含む、測定用プローブ（５１）をシャフトから取り外す工程（７８）を含み、当該工程（７８）は接点を開閉して電気的変動を測定する工程（７６）の後で行う、請求項１０ないし１２のいずれか一項に記載の測定方法。
【請求項１４】
測定用プローブ（５１）を取り外す工程（７８）の後に、タップ切替装置を閉じる工程（８０）を含む、請求項１３に記載の測定方法。
【発明の詳細な説明】
【技術分野】
【０００１】
本発明は変圧器のタップ切替装置、及びタップ切替装置の性能モニタリングに関する。
【背景技術】
【０００２】
本発明は、変圧器のタップ切替装置、特に円筒形状のタップ切替装置に関し、ここで絶縁シリンダには異なる電圧レベルのための固定タップ接点が設けられており、対応する可動接点部分が設けられた回転可能なシャフトがシリンダ内に配置されている。各可動接点はシリンダ内に向けてシャフトから外側に延び、少なくとも一つ、又は例えば二つの機械的接点を備え、該接点はシリンダの対応する固定接点と接触できるようになっている。
【０００３】
シャフトとともに回転する複数の機械的接点を備えた周知のタイプのタップ切替装置の一実施例では、機械的接点は、タップレベルの固定接点との接続のために並列接触分岐に配置される。機械的接点の一つは真空遮断器と直列に接続され、残りの機械的接点は第二の真空遮断器及び抵抗と接続される。マルチフェーズシステムでは、変圧器は各フェーズに対するタップレベルを備え、各フェーズは、タップ切替装置の回転シャフト上に配置された二つの可動機械的接点を含む。
【０００４】
この円筒形状タイプのタップ切替装置は、特許文献１に記載されている。当該文書は、タップ切替装置の接触シーケンスの測定方法を記述している。測定は、二つの並列な分岐の間に測定回路を接続することによって行われる。測定回路はシリンダからシャフトを取り外して接続され、次いで測定回路は接続ケーブルを介して可動接点の二つの分岐に接続され、その後シャフトがシリンダ内に再度設置される（§２５）。測定回路は、機械的スイッチと第一分岐の真空遮断器との間の第一接続ポイントと、抵抗と第二分岐の真空遮断器との間の第二接続ポイントとに接続される。測定回路は、直流電源と直列の抵抗を備え、抵抗の電圧がモニタされる（図６ないし８）。タップ切替中に、分岐の一つが現在のタップレベルから分離され、他の分岐の前に次のレベルに接続される。測定回路は、タップ切替中の、例えば現在のタップレベルでの抵抗分岐の真空遮断器の開放から、次のレベルでの他の分岐の真空遮断器の閉止までの、電圧変動を記録する（§２８）。測定は、スイッチの状態について有益な情報をもたらすが、複雑で手間がかかる。
【０００５】
また、タップ切替装置の再設置は複雑で、タップ切替装置とその接点に悪影響を及ぼして測定結果が無効となることがある。
【０００６】
さらに、この測定回路は、両方の分岐が同一タップに並列に接続されているとき、抵抗分岐の機械的スイッチの開放を検知できない。
【先行技術文献】
【特許文献】
【０００７】
【特許文献１】ＤＥ１０  ２００４  ０５２１３６公報
【発明の概要】
【発明が解決しようとする課題】
【０００８】
本発明の目的は、先行技術の不都合を克服し、タップ切替装置、変圧器、及び変圧器のタップ切替装置の接触シーケンスの測定方法を提供することである。
【０００９】
目的は、製造時に工場で利用でき、且つ当該分野でタップ切替装置のモニタリングのために利用可能なタップ切替装置及び測定方法を提供することである。
【課題を解決するための手段】
【００１０】
本発明は、接触子がタップ切替装置のシャフト内に配置されており、それによりタップ切替装置の測定ポイントへのアクセスが容易となっている、請求項１に記載のタップ切替装置を提供する。
【００１１】
これらの接触子は、容易なアクセスのために、そしてタップ切替装置を変圧器内に配置したままでタップ切替装置の接点回路から測定機器への接続を提供するために適宜配することができ、よって該タップ切替装置は、タップ切替装置の機能性テストの際に変圧器から取り外す必要がない。
【００１２】
本発明はまた、測定セッションの間に変圧器内に配置されたタップ切替装置を用いて接点の性能が測定できる、請求項１１に記載の測定方法を提供する。
【００１３】
変圧器のタップ切替装置の接触シーケンスの測定方法であって、タップ切替装置は変圧器内に配置されており且つシリンダ及びシリンダ内に回転可能に配置されたシャフトを備え、シリンダにはその内面から内側に向かって延びる固定接点（３）が設けられており、シャフトには、シリンダに向かって延び且つシャフトの回転時にシリンダの固定接点と選択的に嵌合するように構成された機械的接点を含む接点回路が設けられており、ここで測定用接触器が接点回路の測定ポイントに電気接続されており、該方法は、接点回路の接点の開閉と、接点の開閉中の電気的変動の測定とを含む。該方法は、測定用接触子が設けられた測定用プローブをタップ切替装置のシャフトに挿入することを特徴とする。
【００１４】
好適には、測定用プローブの挿入工程は、変圧器内にあるタップ切替装置を用いて行われる。
【００１５】
変圧器内に配置されたタップ切替装置上で、タップ切替装置の接触シーケンスの測定を実行することによって、貴重な時間と労力を節約できる。タップ切替装置を変圧器から取り外す必要がないので、タップ切替装置に悪影響が及ぶリスクが大幅に減り、接点を備えたタップ切替装置のシャフトをシリンダ内に再設置する必要もない。
【００１６】
本発明によるタップ切替装置及び方法の実施例は、様々なタップ切替装置で接触シーケンスの測定を容易にする。本発明の方法及びタップ切替装置を用いて、多くのタイプの円筒形状のタップ切替装置を改良すること、及びそれらの接点のモニタリング及び整備を容易にすることができる。
【００１７】
一実施例で、タップ切替装置の測定用接触器は少なくとも二つの別個の接触面を備え、接点回路は二つの測定ポイントを備え、ここで各接触面は測定ポイントのそれぞれ一つに接続される。このようにして、測定機器による接触器への接続によって両方の測定ポイントへのアクセスが提供される。
【００１８】
一実施例で、タップ切替装置は三つの測定用接触器と三つの接点回路を備え、ここで各接触器はシャフト内に配置され且つ三つの接点回路のそれぞれ一つに接続される。これは３フェーズシステムの場合に特に有用である。一実施例で、測定用接触器は三つの別個の接触面を有し、接点回路は三つの測定ポイントを有し、ここで各接触面は測定ポイントのそれぞれ一つに接続される。各フェーズに三つの測定ポイントがあることで測定能力が向上する。
【００１９】
好適な実施例は、各測定ポイントと接触面との間に配置された、シャフトの外側からシャフト内の接触面のそれぞれ一つに延びる複数の導体を含む。
【００２０】
一実施例で、タップ切替装置は、カバー（１９）とカバー（１９）内に配置されたシール可能な開口（９）とを有した上部を備え、該シール可能な開口（９）はシャフト（２）内へのアクセスを提供するために配置されている。よって、テストのために接触子を有するシャフトにアクセスすることができ、そして変圧器が伝動のために用いられるときタップ切替装置をシールすることができる。
【００２１】
一実施例で、接点回路は二つの分岐を備え、第一の分岐は第一の機械的接点、第一の真空遮断器及び保護抵抗を備え、第二の分岐は第二の機械的接点及び第二の真空遮断器を備える。真空遮断器を有するタップ切替装置は、例えば５ｋＶ以上の中及び高電圧変圧器の場合に有益である。真空遮断器を有するタップ切替装置は、機械的接点だけを有するタップ切替装置より整備が少なくて済む。本発明はまた、機械的接点のみを有するタップ切替装置の場合も有益である。
【００２２】
好ましくは、本測定方法は測定用接触子を接触器に接続する工程を含み、該接続工程は測定用プローブのシャフトへの挿入後に行われる。
【００２３】
好ましくは、本測定方法は、測定用プローブの変圧器からの取り外しを含め測定用プローブをシャフトから取り外す工程を含み、該工程は開閉及び測定工程後に行われる。測定用プローブの変圧器からの取り外しは、可動接点を含む中心シャフト全体を変圧器から取り出すことよりも複雑でなく且つ手間もかからない。
【００２４】
好適には、本測定方法は、測定用プローブの取り外し工程後にタップ切替装置を閉じる工程を含む。このようにして、変圧器はシールされ、送電系統に再接続することができる。
【００２５】
本発明はまた、本発明によるタップ切替装置を含み且つ活用した変圧器を提供する。変圧器は二つの巻線を備え、そのうち一つは調整巻線であり、及び該調整巻線のタップレベルを選択するために配置されたタップ切替装置も備える。
【００２６】
本発明はまた、本発明によるタップ切替装置の接触シーケンスを測定するための測定機器を提供する。測定機器は、タップ切替装置のシャフト内に配置されている少なくとも一つの接触器と嵌合するように構成された測定用接触子が設けられた測定用プローブを備える。
【００２７】
本発明は、全ての別個のスイッチの機能性をモニタするのに用いることができるタップ切替装置及び方法を提供する。本方法は、製造及び設置時だけでなく、その全使用期間に亘ってタップ切替装置の機能性及び整備を制御するために用いることができる。
【００２８】
通常、請求項で使用されている用語は全て、本明細書で他の意味に明確に定義されていない限り当該技術分野におけるその一般的な意味にしたがって解釈されるべきである。「一／一つの／該（a/an/the）要素、器具、構成要素、手段、工程、等」なる言及は全て、特に明記しない限り要素、器具、構成要素、手段、工程、等の少なくとも一つの例に公然と言及したものと理解されるべきである。本明細書で開示したいかなる方法もその工程は、特に明記しない限り開示した通りの正確な順序で行われなくてもよい。
【図面の簡単な説明】
【００２９】
【図１】タップ切替装置を示す。
【図２】図１のタップ切替装置の断面図を示す。
【図３】タップ切替装置の回路図を示す。
【図４】測定機器に接続されたタップ切替装置の回路図を示す。
【図５】タップ切替装置の接続するための測定機器の例を示す。
【図６】図４で測定されたタップ切替装置の典型的な切替セッションを示す。
【図７】本発明による測定方法を示す。
【発明を実施するための形態】
【００３０】
図１は、変圧器に設置され該変圧器の調整巻線に接続される円筒形状のタップ切替装置４を示す。タップ切替装置４は、内部シャフト２を囲う外部シリンダ１を備える。シャフト２は、シリンダ１内に回転可能に配置されている。タップ切替装置４は三つのフェーズに適応し、シリンダ２の三つのレベル１００−１０２で外周に沿った三つの高さに配置された三つのフェーズ１００−１０２のそれぞれに対する端子構成１００−１０２を有する。各レベルは、変圧器の各調整巻線（図示せず）の複数の異なるタップに接続を提供するための複数の間隔を介した端子１１０−１３９を、シリンダ２の外面上に含む。該図は、各フェーズについて１０個の端子１１０−１３９を備えたタップ切替装置４を示し、端子１１０−１３９のうち六つは図中に見られるが、残りの四つはシリンダの隠れた側に配置されている。シリンダの周りの端子１１０−１３９のそれぞれは、シリンダ２内の対応する固定接点（図２の３）に電気接続を提供する。これらの固定接点はシリンダ１の中心にあるシャフト２に向かって内側に延びている。そしてシャフト２には、シリンダ１の固定接点に向かって外側に延びる接点構成１０３−１０５が設けられている。シャフト２は、各フェーズに対してこういった接点構成１０３−１０５を三つ含む。接点構成１０３−１０５は、シャフト２に取り付けられた、シャフト２の回転時にシリンダ１の固定接点と接触するように可動な機械的接点を備え、よって、各フェーズについてシャフトの各接点構成１０３−１０５がシリンダの対応する固定接点と嵌合接触するようにシャフト２を回転させることによって、フェーズ毎に特定のタップ１１０−１３９を選択することができる。接点構成１０３−１０５はまた、機械的接点と直列の真空遮断器（図３の３３、３６）を適宜含む。図３及び４には、シャフトとシリンダの間に配置された機械的接点（３２、３５）及び真空遮断器（３３、３６）が示されている。これらの接点構成１０３−１０５は、別個のケーブル１０６−１０８によって接触器１４０−１４２に接続され、これら接触器はシャフト２内に配置されている、つまりシャフトには空洞があり、その内部に接触器１４０−１４２が設けられており、かかる接触器は各フェーズに一つある。
【００３１】
各接触器１４０−１４２は、三つの接触子を備えるものとして図示されており、各ケーブル１０６−１０８は、接点構成１０３−１０５の三つの異なる測定ポイントに電気接続された三つの導体を含むことが好ましい。これらの測定ポイント（Ａ、Ｂ、Ｃ）は図３及び４にさらに示されている。三つの接触器１４０−１４２のそれぞれは三つの測定用接触子１４０ａ−ｃを含み、これらの測定用接触子１４０Ａａ−ｃは、図５に示された測定機器に電気接続を提供するように構成及び配置されている。このために、測定機器は、接触器１４０−１４２の配置間隔と同じだけ間隔を介して配置された測定用接触子群５２ａ−ｃが設けられたロッド５１を含む。接触器１４０−１４２の三つの測定用接触面１４０ａ−ｃの拡大表示が図１のタップ切替装置４の右側に示されている。
【００３２】
図示されたタップ切替装置４はまたプレセレクタ２０を備えるが、本発明はプレセレクタを備えないタップ切替装置でも使用可能である。
【００３３】
図２は図1のタップ切替装置の上端部を示し、内部に回転可能に配置されたシャフト２とシリンダ上部にカバーとを有したシリンダ１が見える。接点構成１０３−１０５の機械的接点３２が、シリンダ１の内側に配置された固定接点３に嵌合接触し、シリンダ１の外側のタップ端子１１０への接続を提供している状態が示されている。カバーには、シャフトの内部測定用接触子（図１の１４０ａ−ｃ）に接続するために測定用接触子（図５の５２）を備えた測定装置（図５のロッド５１といったもの）を挿入するためのシール可能な開口９が設けられている。カバーは、変圧器の使用時にシャフトにつながる開口を閉じる取り外し可能な蓋として提供できる。タップ切替装置４、及びその接点１０３−１０５の性能を測定するとき、測定機器のためにシャフト内部の測定用接触子１４０−１４２へのアクセスが提供されるように蓋が取り外される。このアクセスは変圧器内に残したままでタップ切替装置４に提供することができ、よって該タップ切替装置４は、測定セッションの実行時も変圧器から持ち上げて取り外す必要がない。
【００３４】
図３は、シャフトの、各フェーズについての接点構成１０３−１０５に適した接点回路３１を示し、該接点構成１０３−１０５は、調製巻線のタップｎでシリンダの固定接点３に接続される。よって、接点回路３１はシャフト２の可動接点１０３−１０５の一例である。接点回路３１は、シリンダの対応する固定接点３と嵌合接触するように構成された二つの機械的接点３２、３５を備える。機械的接点３２、３５は、ｎ及びｎ＋１として示されたタップレベルの固定接点に接続するために二つの並列な分岐に配置されている。一つの機械的接点３５は真空遮断器スイッチ３６と直列に接続され、もう一方の機械的接点３２は第二の真空遮断器３３及び抵抗３４と直列に接続されている。可動接点３１が第一タップｎ、及びシリンダの第一固定接点から離れ、第二タップｎ＋１に移動すると、抵抗３４及び真空遮断器３３を含む分岐はタップｎ＋１の第二固定接点との接触へと移行する。抵抗３４は、二つのタップ（ｎ、ｎ＋１）への接続から生じる循環電流からタップ切替装置４を保護する役割を果たす。シャフトはまた、タップｎ＋１から第一タップｎに逆方向に回転できるように適宜配置され、その場合抵抗３４を含む分岐は最後に第二タップｎ＋１から移動し、抵抗３４はこの場合もまた循環電流から接点回路３１を保護することとなる。
【００３５】
可動接点３１には、接点３２、３３、３５、３６の性能を測定するために回路の二つの分岐に測定ポイントＡ、Ｂ、Ｃが設けられている。第一測定ポイントＡは、第一機械的接点３５と第一真空遮断器３６の間に、つまり第一分岐の第一機械的接点３５から第一真空遮断器スイッチ３６へと接続して、設けられる。第二及び第三測定ポイントＢ、Ｃは、第二機械的接点３２と第二真空遮断器３３の間に、つまり第二分岐の第二機械的接点３２から第一真空遮断器スイッチ３３へと接続して、設けられる。これらの測定ポイントは保護抵抗３４の各側方に設けられる。第二測定ポイントＢは、第二真空遮断器３３と抵抗３４の間に設けられる。第三測定ポイントＣは、第二機械的接点３２と抵抗３４の間に設けられる。
【００３６】
図４は、シャフトの可動接点３１の測定ポイントＡ、Ｂ、Ｃに接続された測定装置３７、３８を示す。第一測定装置３７は、第二測定ポイントＢと第三測定ポイントＣの間に、抵抗３４と並列に接続されている。第二測定装置は、二つの分岐の間に、つまり第一分岐の第一測定ポイントＡと第二分岐の第二測定ポイントＢの間に接続されている。測定装置のそれぞれは、直流源と、時間の関数として電圧を記録する電圧計を備える。あるいは、ＡとＢの間、及びＢとＣの間の電流と電圧が電圧計及び電流（アンペア）計で測定され、回路の接点についての抵抗、そして接点の開閉時の抵抗の変動が決定される。測定は、各接点の状態、例えば閉じた接点についてはレベル１及び開いた接点についてはレベル０、を決定するのに使用することができ、図６に示されたように時間の関数として表される。
【００３７】
図５は、タップ切替装置４の接点の性能測定を実行するための測定機器５０の一例である。測定機器５０は、接触シーケンスの測定時にタップ切替装置の外部に配置される測定器（３７、３８、５４、５５）と、該測定器をタップ切替装置のシャフト内にある測定用接触器１４０−１４２に接続するための手段５１、５２、例えば測定用接触子５２ａ−ｃが設けられた細長いロッド５１とを備える。接続手段５１、５２は、タップ切替装置のシール可能な開口（図２の９）を介してシャフト２に挿入できるように構成されている。測定機器は、ロッド５１の形態の測定用プローブ５１を含む。測定用プローブ５１には、シャフト２内に配置された接触器１４０−１４２（図１）の測定用接触子に対応する複数の測定用接触子５２が設けられている。測定用プローブは、第一５２ａ、第二５２ｂ及び第三５２ｃの測定用接触子群を有し、ここで各群５２ａ−ｃは、シャフトの接触器１４０−１４２のそれぞれの三つの接触子１４０Ａ−Ｃのそれぞれ一つに接続するための第一、第二及び第三接触子を含む。よって、各群の三つの接触子は、可動接点３１の測定ポイントＡ、Ｂ、Ｃに接続されうる。測定実行時に蓋（図２の９）が取り外されると、測定用プローブ５１が挿入され、ひいてはその全部で九つある測定用接触子５２ａ−ｃが、シャフトの対応する九つの測定用接触子１４０Ａ−Ｃに繋がり、三つのケーブル１０６−１０８を用いてシャフト２の可動接点１０３−１０５に繋がる。測定機器は、オペレータに結果を提供するためのディスプレイ５５が設けられたコントローラ又は制御ユニット５４を含む。コントローラは、ケーブル５３によってロッド５１に接続され、測定用プローブ５１が適用されるタップ切替装置に応じて測定ポイントＡ−Ｃ毎に別個のケーブルを適宜含む。コントローラ５４は、ケーブル５３、プローブ５１及び測定用接触子５２を介して測定ポイントＡ−Ｃに接続される計器及び直流源３７、３８を含む。コントローラ５４は、接触シーケンスの測定中、変圧器の外部に配置される。コントローラ５４は、測定を制御し且つオペレータへの結果を決定するように適宜構成される。
【００３８】
単一の制御ユニット５４の代わりに、ディスプレイ５５を含みユーザインタフェースを有したコンピュータが、測定機器、例えば直流源及び抵抗計、又は例えば直流源及び電圧及び電流計を含む測定ユニットを制御するために通信可能に接続されてもよい。
【００３９】
図６は、可動接点１２、３１が調整巻線の第一タップ（ｎ）から変圧器の第二タップ（ｎ＋１）に移動したときの、タップ切替装置４の典型的な切替シーケンスを示す。可動接点３１の抵抗分岐がまず第二タップ、つまり第二機械的接点３２と第二真空遮断器３３を有する分岐に移動される。この移動は、もう一方の分岐の前に抵抗分岐を有するシャフト２を回転させることでもたらされる。第二機械的接点３２がタップｎから分離されると、この分岐の真空遮断器３３が開放される。その後、第二機械的接点３２が第二タップ（ｎ＋１）に嵌合し、続いて第二真空遮断器３３が閉じられる。次に、機械的接点３５が第一タップから離れて接続が切れる前に、第一真空遮断器３６が開かれる。第一機械的接点３５がシャフトとともに回転して第二タップの固定接点と嵌合し、その後シャフトの回転が停止する。第一真空遮断器３６は、機械的接点３５が第二タップ（ｎ＋１）に接続されるまで再接続されない。
【００４０】
図７は、切替中のタップ切替装置の接点の性能の測定方法を示す。該方法は、測定機器がタップ切替装置に接続される設置フェーズから始まる。設置は、測定用プローブが変圧器内に置かれるように、タップ切替装置４を変圧器１８内に置いたままで測定用プローブ５１をタップ切替装置のシャフト２内に配置することを含む。まず工程７１で、タップ切替装置の蓋が開かれる。第二に工程７２で、測定用プローブが該開口に挿入される。次に工程７３で、測定用接触子１４０Ａ−Ｃ、５２ａ−ｃが、５２ａ−ｃ、１４０Ａ−Ｃと互いに接触させられる、つまりプローブ５１の測定用接触子５２ａ−ｃがシャフトの対応する測定用接触子１４０Ａ−Ｃに嵌合する。こうして該設置フェーズにおいて、測定機器３７、３８、５４、５５と接点回路の測定ポイントＡ、Ｂ、Ｃとの間の電気接続が、測定用接触子５２ａ−ｃを有した測定用プローブ５１を変圧器１８内に配置することによって提供される。
【００４１】
設置が完了すると測定フェーズが開始される。測定フェーズは接触シーケンスの実行を含み、この間に測定機器３７、３８、５４、５５によって接点３２、３３、３５、３６の性能がモニタされる。工程７４で、測定ポイント間に直流が印加される。図３及び４に示されたような接触器３１を用いて、該工程は、直流を測定ポイントＡとＢ、及び測定ポイントＢとＣの間に加えることを含む、つまり第一電流が二つの分岐の間に印加され、第二電流が抵抗３４と並列に印加される。次いで電気測定が開始され（工程７５）続いて実行される。測定ＡとＢ、及び測定ポイントＢとＣの間の電圧及び電流がモニタされ（工程７６）、結果が決定される（工程７７）。この測定中、タップ切替装置のシャフト２の可動接点１０３−１０５の二つの分岐の四つの３２、３３、３５、３６が接続及び分離され、工程７６で電圧レベルがコントローラ５４によってモニタされる。結果は、測定機器のディスプレイ５５上に適宜表示される。
【００４２】
測定フェーズが完了すると、該方法は、測定機器が変圧器から取り外される取り外しフェーズを含む。測定が終了し、測定用接触子５２ａ−ｃを測定用接触子１４０−１４２Ａ−Ｃから分離する（工程７８）ことで取り外しフェーズが始まり、プローブが変圧器から、つまりタップ切替装置のシャフト内部から取り外され（工程７９）、そして蓋が閉じられる（工程８０）。
【００４３】
図８は、カバー１９を有したタップ切替装置を備えた変圧器１８を示す。変圧器１８は、三つの一次側端子１６、及び三つの二次側端子１７を含む。タップ切替装置１９は、一次端子１６と二次端子１７の間で電圧を変圧するように配置されている。タップ切替装置１９にはそのシャフトへのアクセスを覆う蓋９が設けられており、シャフトには複数の測定用接触子（図１の１４０Ａ−Ｃ、１４１Ａ−Ｃ、１４２Ａ−Ｃ）が設けられており、該接触子はシャフトの外側且つ変圧器の内部に配置された接点回路にある測定ポイントＡ、Ｂ、Ｃに接続される。測定ポイントをタップ切替装置の内部に配することで、接触シーケンスの測定が簡単になる。タップ切替装置１９は、接触シーケンスの測定中ずっと、つまり測定機器の設置からその取り外しまで、変圧器１８内に残ったままである。タップ切替装置のシリンダは適宜シールされ、油といった液密媒体で満たされる。変圧器１８はまた、タップ切替装置の外側に液密媒体、例えば油を含み、変圧器の油はタップ切替装置の油からシールされる。
【図１】
2010267957.tif 000003
【図２】
2010267957.tif 000004
【図３】
2010267957.tif 000005
【図４】
2010267957.tif 000006
【図５】
2010267957.tif 000007
【図６】
2010267957.tif 000008
【図７】
2010267957.tif 000009
【図８】
2010267957.tif 000010
【手続補正書】
【提出日】平成22年7月21日(2010.7.21)
【手続補正１】
【補正対象書類名】明細書
【補正対象項目名】００２９
【補正方法】変更
【補正の内容】
【００２９】
【図１】タップ切替装置を示す。
【図２】図１のタップ切替装置の断面図を示す。
【図３】タップ切替装置の回路図を示す。
【図４】測定機器に接続されたタップ切替装置の回路図を示す。
【図５】タップ切替装置の接続するための測定機器の例を示す。
【図６】図４で測定されたタップ切替装置の典型的な切替セッションを示す。
【図７】本発明による測定方法を示す。
【図８】カバーを有するタップ切替装置を備えた変圧器を示す。
【外国語明細書】
2010267957000001.pdf
2010267957000002.pdf
2010267957000003.pdf
2010267957000004.pdf